(57)【要約】【目的】ホッパー内部の保守点検が必要な場合に、ホッパーをその保守点検が位置まで容易に移動できるようにしたメダル洗浄機を提供する。【解決手段】タンク１内のメダルＭをその下方のホッパー２に収容し、このホッパー２内のメダルＭを、ホッパー２に装備されたメダル送出装置４によってメダル移送レール３に送出し、このメダル移送レール３を移送中にメダルＭを洗浄するようにしたメダル洗浄機において、ホッパー２を、タンク１から切り離すと共にメダル移送レール３に対し切り離し可能に連結し、ホッパー２とメダル送出装置４とを可動台１１上に搭載装備し、この可動台１１を、ホッパー２がタンク１の直下に位置する通常使用位置と、ホッパー２内部の保守点検作業が可能な保守点検位置との間で移動可能としている。【選択図】　　　　図２
2004081419.tif 000002
【特許請求の範囲】
【請求項１】
メダル貯蔵タンク内のメダルを下方のホッパーに投下収容し、このホッパー内のメダルを、ホッパーに装備されたメダル送出装置によってメダル移送レールに送出し、このメダル移送レールを移送中にメダルを洗浄するようにしたメダル洗浄機において、ホッパーを、前記タンクから切り離すと共に、メダル移送レールに対し切り離し可能に連結し、このホッパーとメダル送出装置とを可動台に搭載装備し、この可動台を、基台上において、ホッパーがタンクの直下に位置する通常使用位置と、ホッパーが通常使用位置から移動してホッパー内部の保守点検作業が可能な保守点検位置との間で移動可能としてなるメダル洗浄機。
【請求項２】
可動台は、移動時に、その両側端部が基台側に設けられた両側一対のガイド部に沿って摺動案内されながら、可動台の下面側に軸支された車輪が基台側の台板上を転動すると共に、その台板上に軸支された車輪で可動台の下面側が支持されるようになっている請求項１に記載のメダル洗浄機。
【発明の詳細な説明】
【０００１】
【発明の属する技術分野】
本発明は、パチスロ、ゲーム機等のメダル遊戯機に使用されるメダルを洗浄するメダル洗浄機に関する。
【０００２】
【従来の技術及びその課題】
この種のメダル洗浄機は、メダル貯蔵タンク内のメダルをその下方のホッパーに収容し、このホッパー内のメダルを、ホッパーに装備されたメダル送出装置によってメダル移送レールに送出し、このメダル移送レールの使用箇所に設けられた洗浄手段によって移送中のメダルを洗浄するようになっている。
【０００３】
ところで、この種のメダル洗浄機では、メダル送出装置を装備したホッパーの内部に収容されたメダルが、ホッパーの底部の回転円板によって旋回移動しながら、メダル移送レールにつながるメダル送出路へ送出されてゆく時に、メダルにゴミ、その他の異物が付着していたりして、メダルがメダル送出路の入口付近で詰まりを生じるようなことがあるが、そのまま放置すると、メダル送出路の側壁部が破損したり、メダル自体が損傷するため、メダルが詰まったような時には、直ちに運転を止めて、詰まったメダルを取り出す等の作業が必要となる。
【０００４】
然るに、従来のメダル洗浄機では、ホッパーがメダル貯蔵タンクの下部に接続されていると共に、このホッパーがメダル洗浄機の基台上に固定的に取り付けられているため、上記のようなメダルの詰まりが生じたような場合には、ホッパーを基台に取付固定している多数のビスを一々抜いて、ホッパーを基台から取り外すと共に、タンク下部から切り離すようにするため、そのような作業に非常な手間と時間がかかっていた。
【０００５】
本発明は、ホッパーの底部にメダルが詰まるなどしてホッパー内部の点検や修理が必要な場合に、ホッパーをその保守点検が可能な位置まで簡単に移動できるようにしたメダル洗浄機を提供することを目的とする。
【０００６】
【課題を解決するための手段】
請求項１に係る発明は、メダル貯蔵タンク１内のメダルＭを下方のホッパー２に投下収容し、このホッパー２内のメダルＭを、ホッパー２に装備されたメダル送出装置４によってメダル移送レール３に送出し、このメダル移送レール３を移送中にメダルＭを洗浄するようにしたメダル洗浄機において、ホッパー２を、前記タンク１から切り離すと共に、メダル移送レール３に対し切り離し可能に連結し、このホッパー２とメダル送出装置４とを可動台１１上に搭載装備し、この可動台１１を、基台１０上において、ホッパー２がタンク１の直下に位置する通常使用位置と、ホッパー２が通常使用位置から移動してホッパー２内部の保守点検作業が可能な保守点検位置との間で移動可能としてなることを特徴とする。
【０００７】
請求項２は、請求項１に記載のメダル洗浄機において、可動台１１は、移動時に、その両側端部が基台１０側に設けられた両側一対のガイド部３３ｂ，３３ｂに沿って摺動案内されながら、可動台１１の下面側に軸支された車輪３８，３８が基台１０側の台板部３３ａ上を転動すると共に、その台板部３３ａ上に軸支された車輪３４で可動台１１の下面側が支持されるようになっていることを特徴とする。
【０００８】
【発明の実施の形態】
図１は、本発明に係るメダル洗浄機の全体を示したもので、この図において、１はメダル貯蔵タンク、２はタンク１から投下されるメダルＭを収容するホッパー、３はメダルＭを常に直立姿勢で移送するメダル移送レールで、ホッパー２に接続され且つ水平面に対し垂直な直立面に沿うように延設されている。４は、ホッパー２内のメダルＭを１枚ずつメダル移送レール３へ繰り出して強制移送させるメダル送出装置である。５は洗浄手段で、前記直立面に沿って略Ｕ字状に屈曲したメダル移送レール３の一部を洗浄用温水槽６内の洗浄用温水中に浸漬させて、移送中のメダルＭの表裏両面を両側一対の回転ブラシ７，７によりブラッシングするようになっている。８は洗浄を終えたメダルＭに付着した水滴を除去する水滴除去手段、９は水滴除去手段８を通過したメダルＭに残存する水分を乾燥させる乾燥手段である。また、１０はメダル洗浄機の基台で、その四隅部にキャスターＫが取り付けてある。
【０００９】
ホッパー２は、図２から分かるように、メダル貯蔵タンク１から切り離されて、メダル移送レール３に対し切り離し可能に連結され、メダル送出装置４と共に可動台１１上に搭載装備されており、そして可動台１１は、基台１０上において、ホッパー２がタンク１の直下に位置する通常使用位置（図２の実線図示）と、ホッパー２が通常使用位置から前方へ移動してホッパー２内部の保守点検作業が可能な保守点検位置（図２の仮想線図示）との間で移動可能となっている。
【００１０】
図２及び図３に示すように、ホッパー２は、横断面がＵ字状で上部から底部に亘って傾斜した側壁２ａを有し、この側壁２ａには、メダルＭに付着したり混入した異物を排出させる複数の異物排出孔２ｂが設けられ、またホッパー２の入口部には、タンク１から投下されるメダルＭの重量がホッパー２底部のメダル送出装置４側に直接かかるのを防止するための仕切り板１２が設けてある。
【００１１】
メダル送出装置４の構造について説明すると、図２に示すように、ホッパー２の底部に一定の傾斜姿勢で固定された背板１３の内面に、図５に示すような円形状の開口部１４とこの開口部１４の外周部に沿って上向きに抜け出る弧状のメダル送出路１５とを連通形成した中板１６が添設され、この中板１６の内面には、当該中板１６の円形状開口部１４と合致する円形状開口部１７を形成した内板１８が添設されている。更に、中板１６及び内板１８の両開口部１４，１７に嵌合して背板１３の内面に摺接する状態で所定方向に回転する回転円板１９が設けられ、この回転円板１９は、図２に示すように背板１３の外側面に設置されたモーター２０によって駆動される。
【００１２】
回転円板１９は、その内面中央部にメダル誘導案内用の円錐コーン部１９ａを有し、そしてこの円錐コーン部１９ａ周辺部に、図３及び図７に示すように、ホッパー２内のメダルＭを１枚ずつ導入する複数のメダル導入孔２１が周方向一定ピッチで貫設されていると共に、この回転円板１９の外面周辺部には、各メダル導入孔２１に導入されたメダルＭを回転円板１９の回転に伴って当該導入孔２１の奥部から背板１３の内面に沿って前記メダル送出路１５へ１枚ずつ排出するメダル排出部２２が設けられている。
【００１３】
背板１３は、図２に示すように可動台１１上に約６０の傾斜姿勢で固定され、また背板１３には、図２及び図４の（Ａ）に示すように、メダルＭがメダル導入孔２１から押し出し排出部２２を経てメダル送出路１５へ排出される間にメダルＭに付着した異物を外部へ排出除去するための複数の異物排出孔２４が設けてある。中板１６に設けられたメダル送出路１５の入口部１５ａは、図３の（Ａ）及び図５に示すように、回転円板１９の回転方向に沿った円形状開口部１４の接線上に設けられる。回転円板１９の外面周辺部に設けられたメダル排出部２２は、図７の（Ｃ）に示すように、隣合う一方のメダル導入孔２１の奥部と他方のメダル導入孔２１との間に形成された凸曲面状端壁部２２ａを有する。
【００１４】
上記メダル送出装置４において、ホッパー２に多量のメダルＭを収容した状態でモーター２０を起動して回転円板１９を図３の矢印方向に低速で回転すると、ホッパー２内のメダルＭは、回転円板１９に近づくにつれて漸次図２に示すように起立状態となり、こうして起立状態となったメダルＭは、回転円板１９の円錐コーン部１９ａにより誘導案内されながら１枚ずつ回転円板１９のメダル導入孔２１に導入される。各メダル導入孔２１に導入されたメダルＭは、その奥部に保持されたまま回転円板１９の回転と共に旋回移動して、メダル送出路１５の入口１５ａを臨む位置にきたとき、メダル排出部２２によりメダル送出路１５へ１枚ずつ排出され、このメダル送出路１５からメダル移送レール３へ送り出されて、図１に示すような数珠つなぎ状態で強制的に移送されることになる。
【００１５】
このメダル送出装置４のメダル送出路１５に接続されたメダル移送レール３の大部分は、直線状に延びたストレートレール部材２５と９０度に曲成されたアール状レール部材２６とを相互に接続し、前記直立面に沿うように上下に屈曲させて図１に示されるような蛇行状に形成される。メダル送出路１５の出口には、図２及び図３に示すように立上用レール部材２７が配設され、この立上用レール部材２７には連結部材２８が添設されていて、この連結部材２８を介して、立上用レール部材２７がメダル移送レール３の最初のアール状レール部材２６にビス２３で切り離し可能に連結されている。
【００１６】
ホッパー２とこれに一体に装備されたメダル送出装置４とを搭載している可動台１１は、図２及び図９に示すように、台枠３０上に台座部３１を設けてなるもので、台座部３１上にメダル送出装置４の背板１３が傾斜姿勢で固定され、この背板１３の外面に設置されたモーター２０が台座部３１上に傾斜姿勢で接した状態にある。台枠３０は、台板３０ａと左右側板３０ｂ，３０ｂと前板３０ｃと後板３０ｄとからなる。図１０の（Ａ）は、台枠３０を下方より見た斜視図で、この図から分かるように、台板３０ａの下面には後部の左右両側に車輪３８，３８が軸支されている。また台枠３０の各側板３０ｂは、後部側の上下幅が前部側よりも深く形成されて、その中間部にストッパー段部３２を形成している。
【００１７】
図８は可動台１１が取り付けられるメダル洗浄機の基台１０部分を示す。即ち、基台１０の一端側前部に、台板部３３ａと、この台板部３３ａの左右両縁部に沿って上向きに突出する断面倒Ｌ字状のガイド側板３３ｂ，３３ｂ（ガイド部）とからなる取付部材３３が取り付け固定されていて、この取付部材３３の台板部３３ａ上面にはその前端部中央に車輪３４が軸支されている。
【００１８】
上記のように基台１０に取り付けられた取付部材３３に、ホッパー２及びメダル送出装置４を搭載装備した可動台１１を取り付けるには、この可動台１１を基台１１側の取付部材３３に嵌め込んで、図１０の（Ｂ）に示す断面略々Ｚ字状の固定部片３５を、可動台１１の台枠３０の左右各端部と、基台１０に取り付けられたガイド側板３３ｂの上面部とに亘って係止させ、締付用ビス３６で締め付けることによって、可動台１１を基台１０側の取付部材３３に固定する。締付用ビス３６は、固定部片３５に設けられたビス挿通孔４４から基台１１側の取付部材３３の上面に設けられたねじ孔４５にねじ込まれる。この状態を図１１に示す。この時、可動台１１は、ホッパー２がタンク１の直下に位置する通常使用位置にある。また、この通常使用位置では、立上用レール部材２７がメダル移送レール３のレール部材２６にビス２３で連結される。
【００１９】
そして、ホッパー２内でメダルＭの詰まりが生じたような場合には、ビス２３を抜いて立上用レール部材２７とこれに接続されるレール部材２６との連結を解除すると共に、ビス３６を抜いて固定部片３５，３５を取り外した後、可動台１１を前方へ引っ張れば、この可動台１１は、図１１に示す通常使用位置から図１２に示すホッパー２の内部の保守点検作業が可能な保守点検位置へと移動するから、その保守点検位置でホッパー２の内部状況を点検したり、メダルＭの詰まりを直すなどの作業を迅速容易に行うことができる。そのような作業が終われば、可動台１１を保守点検位置から通常使用位置へと押し戻し、固定部片３５，３５を夫々元の位置に取り付けてビス３６で締め付け固定し、立上用レール部材２７をレール部材２６にビス２３で連結すればよい。
【００２０】
この場合、可動台１１は、台枠３０の左右側板３０ｂ，３０ｂが基台１０側に設けられた左右一対のガイド側板３３ｂ，３３ｂに沿って摺動案内されながら、可動台１１の台枠３０の台板３０ａ下面に軸支された車輪３８，３８が基台１０側の台板部３３ａ上を転動すると共に、その基台１０側の台板部３３ａ上に軸支された車輪３４で可動台１１の台枠３０の台板３０ａが支持されるようになっているから、通常使用位置から保守点検位置への可動台１１の引き出し操作、及び保守点検位置から通常使用位置への可動台１１の押し戻し操作をきわめて軽快に行わせることができ、その作業が非常に楽になる。
【００２１】
また、可動台１１を通常使用位置から保守点検位置へと引き出す際には、可動台１１の台枠３０の左右側板３０ｂ，３０ｂの夫々中間部にストッパー段部３２，３２が設けてあって、可動台１１が所要の保守点検位置まで移動すれば、ストッパー段部３２，３２が基台１０側の被係止部３７（図８参照）に係止されるようになっているから、可動台１１が基台１０側から必要以上に引き出されたり、それから離脱するようなことがない。
【００２２】
前記立上用レール部材２７は、図３の（Ａ）及び（Ｂ）に示すように、メダルＭの両端面部を支持する一対の帯板２７ａ，２７ａと、メダルＭの表裏両面を支持する一対の側板２７ｂ，２７ｂとによって構成され、片方の側板２７ｂには、メダルＭの直径より小さい幅の溝２７ｃが開口されている。この立上用レール部材２７は、連結部材２８により基板１３に連結され、メダル送出装置４のメダル送出路１５に接続される。アール状レール部材２６は、図３の（Ｃ）に示すように、夫々９０度に曲成された一対の帯板２６ａ，２６ａと一対の側板２６ｂ，２６ｂとによって構成され、各側板２６ｂに弧状の窓２６ｃが形成されている。ストレートレール部材２５は、直線状に形成されているだけで、アール状レール部材２６と同様な構成である。
【００２３】
図１に示すように、洗浄用温水槽６内に挿入されるメダル移送レール３の部分は、両側一対のアール状レール部材２６，２６と、両アール状レール部材２６，２６の間に介装された別のストレートレール部材２９とによって略Ｕ字状に屈曲形成されている。洗浄用温水槽６の洗浄用温水中において、前記レール部材２９を挟むの両側一対の回転ブラシ７，７からなるメダル洗浄手段５によって、移送中のメダルＭの表裏両面がブラッシングされるようになっている。
【００２４】
上記のような温水下での回転ブラシ７による洗浄を終えたメダルＭに付着した水滴は、水滴除去手段８によって除去されるようになっている。この水滴除去手段８は、図１に示すように洗浄用温水槽６から上向きに延出したメダル移送レール３のストレートレール部材２５に設けられている。
【００２５】
前記乾燥手段９は、上記の水滴除去手段８を通過したメダルＭに未だ水分が残存している場合にその水分を乾燥させるものであって、図１に仮想線で概略的に示すように、水滴除去手段８の上方に延びる直線状メダル移送レール部分３ａを所要長さに亘って密閉状に覆うダクト３９と、このダクト３９内における前記レール部分３ａの側方にその長さ方向に沿って設けられたハロゲンヒータランプ４０と、前記ダクト３９の一端側からダクト３９内の前記レール部分３ａに対しその長手方向に沿って風を送る送風ファン４１とから構成される。
【００２６】
上記のように乾燥手段９により乾燥されて水分を完全に除去されたメダルＭは、図１に示すように最終ストレートレール部材２５を通って、その先端から排出される。尚、メダル貯蔵タンク１には、図１に示すようにオーバーフロー用の開閉式排出口Ｈが設けてあって、メダルＭがタンク１に一杯になれば、下方のボックス（図示せず）に排出されるようになっている。図１において、４２は電源スイッチ４３その他を設けた操作ボックスである。
【００２７】
【発明の効果】
請求項１に係る発明によれば、ホッパーを、タンクから切り離すと共にメダル移送レールに対し切り離し可能に連結し、このホッパーとメダル送出装置とを可動台に搭載装備し、この可動台を、基台上において、ホッパーがタンクの直下に位置する通常使用位置と、ホッパー内部の保守点検作業が可能な保守点検位置との間で移動可能としたから、ホッパー内でメダルの詰まりを生じたような場合には、可動台を通常使用位置から保守点検位置へ移動させることによって、ホッパーの内部状況を点検したり、メダルの詰まりを直すなどの作業を迅速容易に行うことができる。
【００２８】
請求項２に係る発明によれば、可動台は、移動時に、その両側端部が基台側に設けられた両側一対のガイド部に沿って摺動案内されながら、可動台の下面側に軸支された車輪が基台側の台板上を転動すると共に、その台板上に軸支された車輪で可動台の下面側が支持されるようになっているから、可動台の移動操作を軽快に行わせることができ、その作業が非常に楽になる。
【図面の簡単な説明】
【図１】本発明に係るメダル洗浄機の全体を示す斜視図である。
【図２】可動台並びにこれに搭載装備されたホッパー及びメダル送出装置の縦断面図である。
【図３】（Ａ）はホッパー及びメダル送出装置を示す正面断面図、（Ｂ）は（Ａ）のＸ−Ｘ線断面図、（Ｃ）は（Ａ）のＹ−Ｙ線断面図である。
【図４】（Ａ）はメダル繰り出し手段の背板を示す正面図、（Ｂ）は同背板の側面図である。
【図５】（Ａ）はメダル繰り出し手段の中板を示す正面図、（Ｂ）は同中板の側面図である。
【図６】（Ａ）はメダル繰り出し手段の内板を示す正面図、（Ｂ）は同内板の側面図である。
【図７】（Ａ）はメダル繰り出し手段の回転円板を示す正面図、（Ｂ）は同回転円板の側面図、（Ｃ）は同回転円板の背面図である。
【図８】可動台が取り付けられる基台部分を示す斜視図である。
【図９】可動台並びにこれに搭載装備されたホッパー及びメダル送出装置の外観斜視図である。
【図１０】（Ａ）は可動台の台枠を下方より見た斜視図、（Ｂ）は可動台を基台側に固定する両側一対の固定部片を示す斜視図である。
【図１１】ホッパー及びメダル送出装置を搭載装備した可動台が基台上の通常使用位置に取り付けられた状態の外観斜視図である。
【図１２】ホッパー及びメダル送出装置を搭載装備した可動台が基台上の保守点検位置に引き出された状態の外観斜視図である。
【符号の説明】
１　　　　　　タンク
２　　　　　　ホッパー
３　　　　　　メダル移送レール
４　　　　　　メダル送出装置
１０　　　　　基台
１１　　　　　可動台
３３　　　　　取付部材
３３ａ　　　　台板部
３３ｂ　　　　ガイド側板（ガイド部）
３４　　　　　基台側の台板部に設けた車輪
３８　　　　　可動台側に設けた車輪
【図１】
2004081419.tif 000003
【図２】
2004081419.tif 000004
【図３】
2004081419.tif 000005
【図４】
2004081419.tif 000006
【図５】
2004081419.tif 000007
【図６】
2004081419.tif 000008
【図７】
2004081419.tif 000009
【図８】
2004081419.tif 000010
【図９】
2004081419.tif 000011
【図１０】
2004081419.tif 000012
【図１１】
2004081419.tif 000013
【図１２】
2004081419.tif 000014